(57)【特許請求の範囲】
【請求項１】
筐体に出し入れされる引出体と該引出体の前面側に回動可能に軸支された蓋体との間に設けた係止機構により該蓋体を所定位置に保持可能にするラッチ装置において、
前記筐体に対する前記引出体の収納状態か非収納状態かを認識する認識手段、及び前記認識手段と連携されて前記係止機構を作動可能ないしは作動不能とする規制手段からなる自動制御機構を備え、
前記規制手段は前記引出体の非収納状態で前記係止機構の係止解除状態への切り換えを規制することを特徴とするラッチ装置。
【請求項２】
前記認識手段は、前記引出体側に設けられて、前記引出体の収納状態か非収納状態かを前記筐体の対応部に対する接離状態により認識することを特徴とする請求項１に記載のラッチ装置。
【請求項３】
前記規制手段は、付勢力又は自重により前記係止機構の係止解除状態への切り換えを規制し、かつ、該規制状態を前記認識手段が前記筐体の対応部と接触した状態で解放する請求項１又は２に記載のラッチ装置。
【請求項４】
前記係止機構の係止解除状態への切り換えを手動操作により不能にする手動規制手段を有している請求項１から３の何れかに記載のラッチ装置。
【請求項５】
請求項１から４の何れかに記載のラッチ装置において、前記係止機構は前記蓋体を押込み操作により前記引出体側に保持し、次の押込み操作により前記蓋体の保持を解放するプッシュ・プッシュ式からなると共に、前記引出体及び前記蓋体は一方だけが取っ手を有していることを特徴とするラッチ装置。
【発明の詳細な説明】
【技術分野】
【０００１】
本発明は、ラッチ装置のうち、特に引出体と引出体の前面側に回動可能に軸支された蓋体との間に設けた係止機構により該蓋体を所定位置に保持可能にするラッチ装置に関する。
【背景技術】
【０００２】
図１４は特許文献１に開示の筐体（キッチンシステム等のキャビネット）と引出体（主収納体）及び蓋体の関係を示している。この筐体７Ａは、前開口した空間に対し引出体８Ａを出入可能に配置している。引出体８Ａは、前開口した副収納部８ａ及び副収納部８ａの上側から前方へ突設された取っ手ｃ１を有している。また、副収納部８ａは、引出体８Ａの前下側のヒンジ部を介し回動可能に軸支された蓋体９Ａにより開閉される。蓋体９Ａは、上端側に設けられた取っ手ｃ２を有し、副収納部８ａを塞いだ状態で引出体８Ａの所定位置にラッチ装置ｋを介して保持される。ラッチ装置ｋは、引出体８Ａと蓋体９Ａとの間に設けられる係止機構として、引出体８Ａの前上壁に設けられた不図示のスイッチ板と一体になったストライカｍと、前記スイッチ板の変位に伴って移動するストライカｍと係合可能なように蓋体９Ａに設けられたフックｎと、前記スイッチ板の変位位置の少なくとも２つの位置で節度感を付与するための不図示のクリック手段とを有している。そして、前記スイッチ板を操作すると、ストライカｍがフックｎと係合する係止状態と、係止解除状態とに切り換えられる。クリック手段はその各切り換え時に節度感を付与する。
【０００３】
【特許文献１】特開２００４−３１６３２４号公報
【発明の開示】
【発明が解決しようとする課題】
【０００４】
上記特許文献１の構造は、ラッチ装置を筐体に対する引出体の収納状態で目視されない箇所に設けることで、幼児が不用意に蓋体側の取っ手を引っ張っても、蓋体が開かないようにし、それによりチャイルドロックとしても機能する点で優れているが、次のような要求に対処できなかった。すなわち、安全性や使い勝手などの観点からは、引出体を引き出した非収納状態で蓋体を開閉すると危ないため蓋体の開閉操作を引出体の収納状態でのみ行えるようにしたい。ラッチ装置としては、引出体の非収納状態で係止解除状態への切り換えを不能とし、更にそのような切り換えを使用者がいちいち操作することなく自動で切り換えられるようにしたり、使用者が引出体の非収納状態において作動不能であることを認識したり判断可能にしたい。なお、設計上は、筐体が引出体用の取っ手と蓋体用の取っ手との存在により煩雑感を与えたり、使用者が引出体を開閉移動する操作時に蓋体の取っ手に当たるためそれらも改善容易となる構造にしたい。
【０００５】
本発明の目的は、以上のような課題を解決して、特に安全性や使い勝ってをより良好にして、品質などを向上することにある。
【課題を解決するための手段】
【０００６】
上記目的を達成するために、請求項１の発明は、図１〜図１３の形態の例で特定すると、筐体９に出し入れされる引出体８と該引出体の前面側に回動可能に軸支された蓋体９との間に設けた係止機構（２，３，４，５）により該蓋体を所定位置に保持可能にするラッチ装置１において、前記筐体７に対する前記引出体８の収納状態か非収納状態かを認識する認識手段６０ａ、及び前記認識手段と連携されて前記係止機構を作動可能ないしは作動不能とする規制手段６３からなる自動制御機構６を備え、前記規制手段６３は前記引出体８の非収納状態で前記係止機構の係止解除状態への切り換えを規制することを特徴としている。
【０００７】
以上の発明において、蓋体は引出体に対し回動可能に軸支されるものであればよく、扉やカバーなどを含む。引出体は、前後ないしは左右に引き出されたり押し込まれるものであればよい。筐体は引出体を配置しているものであればよく、各種装置、ボックス、ハウジング、キッチン本体などを含む。発明の要部は、認識手段及び規制手段からなる自動制御機構を備えている。ここで、請求項１の認識手段は、筐体に対する引出体の収納状態か非収納状態かを認識する。この要件は、例えば、図１（ａ），（ｂ）において、認識手段が引出体の収納状態で突出量を減じ、引出体の引き出し状態（非収納状態）で突出量を増大する作用から特性したものである。
【０００８】
以上の各発明は次のように具体化されることがより好ましい。
(ア)、請求項１において、前記認識手段は、前記引出体に設けられて、前記引出体の収納状態か非収納状態かを前記筐体の対応部に対する接離状態により認識する構成であるる（請求項２）。
(イ)、請求項１又は２において、前記規制手段は、付勢力又は自重により前記係止機構の係止解除状態への切り換えを規制し、かつ、該規制状態を前記認識手段が前記筐体の対応部と接触した状態で解放する構成である（請求項３）。
【０００９】
(ウ)、請求項１から３の何れかにおいて、前記係止機構の係止解除状態への切り換えを手動操作により不能にする手動規制手段を有している構成である（請求項４）。
(エ)、請求項１から４において、前記係止機構は前記蓋体を押込み操作により前記引出体側に保持し、次の押込み操作により前記蓋体の保持を解放するプッシュ・プッシュ式からなると共に、前記引出体及び前記蓋体は一方だけが取っ手を有している構成である（請求項５）。なお、プッシュ・プッシュ式の係止機構は、浮出しラッチ、プッシュロック・プッシュオープン式のラッチと称されることもある。
【発明の効果】
【００１０】
請求項１の発明では、引出体の収納状態か非収納状態かを認識する認識手段、及び認識手段と連携されて係止機構を作動可能ないしは作動不能とする規制手段からなる自動制御機構を備えているため、形態のごとく規制手段が引出体を引き出した非収納状態で係止機構を作動不能（係止解除状態へ切り換えたり、逆に係止状態に切り換えることが不能になること）となるよう設定するだけで、係止機構が引出体の収納状態でしか係止解除状態に切り換えられなく課題に挙げたような仕様を可能にして、安全性や使い勝手を改善し易くなる。
【００１１】
また、この発明では、規制手段が引出体の非収納状態で係止機構の係止解除状態への切り換えを規制するため、上記したごとく課題に挙げたような仕様を可能にして安全性や使い勝手を向上できる。これに対し、請求項２の発明では、認識手段が引出体の収納状態か非収納状態かを筐体の対応部に対する接離状態により認識することから、簡易で実施容易となる。
【００１２】
請求項３の発明では、規制手段が付勢力又は自重により係止機構の係止解除状態への切り換えを規制し、かつ、該規制状態を認識手段が筐体の対応部と接触した状態で解放することから、規制手段及び認識手段を形態のごとく同じ部材にて実施可能にし、簡易化及び確実性に優れたものを提供できるようにする。
【００１３】
請求項４の発明では、係止機構の係止解除状態への切り換えを手動操作により不能にする手動規制手段を有しているため、幼児が蓋体を不用意に開閉できないようにして安全性をより向上できる。
【００１４】
請求項５の発明では、係止機構がプッシュ・プッシュ式であるため、図１４の従来構造に比べて、以上の利点を具備しながら、引出体側の取っ手か蓋体側の取っ手の一方を省いて煩雑性などを解消できる。
【００１５】
また、設計自由度を拡大できる。
【発明を実施するための最良の形態】
【００１６】
本発明の形態例について添付図面を参照しながら説明する。図１は使用例を示し、図２〜図１０はラッチ装置の細部を示し、図１１〜図１３は主な作動を示している。以下の説明では、概要、装置特徴、作動特徴の順に詳述する。
【００１７】
（概要）図１は形態例のラッチ装置の使用例を示している。図１において、符号７はシステムキッチンを構成している筐体、７ａはシンク等を保持する支持フレーム、７ｂは支持フレーム７ａの下側に設けられている空間、８は該空間７ｂに配置された引出体、８ａは該引出体８の前側に設けられた小収納部、９は該小収納部８ａの前開口を開閉する蓋体である。ここで、引出体８は、従来品の取っ手が省略されていると共に、不図示のスライド機構により前後に所定距離だけ摺動可能に支持されている。小収納部８ａは、包丁等の小物類を収容する箇所であり、引出体８の前側に一体的に設けられると共に前開口している。蓋体９は、下側ヒンジ部９ａを支点として回動される前面板であり、上縁に沿って設けられた取っ手９ｂを有している。なお、取っ手９ｂは、蓋体９に設けず、引出体８側に設けるようにしてもよい。
【００１８】
以上の使用例において、ラッチ装置１は、小収納部８ａの上面側に固定されると共に、ラッチ装置の係止機構に係脱されるストライカ５が蓋体９の上内面側にベース５５を介して取り付けられている。また、ラッチ装置１は、係止機構がプッシュ・プッシュ式であり、蓋体９を最初の押込み操作により小収納部８ａ側、つまり小収納部８ａの前開口を塞ぐ閉位置に保持し、次の押込み操作により前記保持を解除して蓋体９を開方向へ切換可能にするものである。但し、使用態様は、ラッチ装置１を蓋体９等の蓋体側に設けると共に、ストライカ５を小収納部８ａ等の引出体側に設けるようにしてもよい。
【００１９】
（装置特徴）上記したラッチ装置１は、従来のプッシュ・プッシュ式の係止機構に比べ、特にケース１０内にラッチユニット４と共に配置された係止部材２及びカム部材３を有している点と、ケース１０に装着されるカバー１５に手動規制手段３５と共に配置された自動制御機構６を有している点と、それに関連する構成が相違している。なお、ラッチユニット４は従来のプッシュ・プッシュ式の係止機構に相当している。以下、これらの構成を明らかにする。説明では各部材が図５の配置において左右・前後方向とする。
【００２０】
ここで、ケース１０は、図５及び図７に示されるごとく、上面開口した容器状をなし、上開口がカバー１５により閉じられる。ケース１０には、上フランジ部１０ａと、両側の係合孔１０ｂと、ガイド用壁部１１と、ガイドレール１２と、軸受用ボス部１３と、出入用開口１４が設けられている。このうち、壁部１１は、横壁部分１１ａ及び該横壁部分から屈曲されて後壁部に接続されている縦壁部分１１ｂとからなる。横壁部分１１ａは、ストライカ５の出退方向と略直交した状態に設けられ、係止部材２を摺動可能かつ開口１４側へずれないようガイドする。また、横壁部分１１ａ及びケース後壁部には、爪部１１ｄ，１１ｄが対向した状態に設けられている。縦壁部分１１ｂには後述するラッチユニット用係合孔１１ｃが設けられている。ボス部１３は、カム部材３を枢支する箇所で、ケース前壁部に設けられた矩形の出入用開口１４の片側に位置している。
【００２１】
これに対し、カバー１５は、図２及び図３と図６に示されるごとく、略矩形板状からなり、ケース内に挿入される枠部１６と、枠部１６の左右側壁に設けられた係止爪１６ａと、下面両側に下設された取付用ボス部１７ａと、枠部１６の前側に下設されたガイド片部１７ｂと、下面に設けられて上フランジ部１０ａと係合する凹部１５ａと、手動規制手段用凹部１８と、自動制御機構用凹部１９とを有している。凹部１８は、左右に長くなっており、内底面にあって左側に設けられた窓１８ａ及び右側で前後に対向した状態で貫通された孔１８ｂ，１８ｂ、並びに窓１８ａと孔１８ｂとの間に位置して凹部の対向した内面に設けられた溝及び該溝の下端からカバー内に貫通された軸孔１８ｃ，１８ｃを有している。凹部１９は、前後に長くなっており、内底面にあって後側に設けられた窓１９ａと、前後略中間に位置して凹部の対向した内面に設けられた溝及び該溝の下端からカバー内に貫通された軸孔１９ｂ，１９ｂと、前側に一段高く形成されている部分１９ｃとを有している。
【００２２】
以上のカバー１５は、以下に述べるごとくプッシュ・プッシュ式の係止機構として係止部材２とカム部材３及びラッチユニット４を予め組み入れたケース１０に対し、枠部１６がケース内に押し込まれることにより、各係止爪１６ａと係合孔１０ｂとの係合、前記凹部１５ａと上フランジ部１０ａとの係合を介してケース１に精度良く装着される。また、その前後の段階で、カバー１５には、手動規制手段３５が凹部１８に組み付けられると共に、自動制御機構６が凹部１９に組み付けられる。
【００２３】
まず、ケース側を説明する。係止部材２は、図３及び図５に示されるごとくブロック状の板部２０と、該板部左端に突設されている係止片部２１と、板部後片側に設けられた嵌合凹部２２と、板部前端の片側前方へ突設された係合部２３と、板部両側面に設けられた爪部２５と、板部下面に設けられて左右方向に延びているガイド溝２６と、板部２０の上面左側に突設された当接部２７とを一体に有している。係止片部２１は、先端がラッチユニット４に係脱される膨出部２１ａとなっている。そして、この係止部材２は、ケース１０内にあって横壁部分１１ａとケース後壁部との間に押し込めると、両側の爪部２５が上記した対応する爪部１１ｄを弾性的に乗り越えることで抜け止めされると共に、ガイド溝２６とガイドレール１２の嵌合を介してケース左右に摺動可能に配置される。この例では、係止部材２が図１０（ｂ）のごとく縦壁部分１１ｂに最も近づく左位置から、同（ｃ）のごとく縦壁部分１１ｂから最も離れる右位置まで自在に摺動される。当接部２７は、後述する自動制御機構６の作動部材６０が作動不能態様に切り換えられたときに対応部との係合を確実にする箇所であるが、省略してもよい。
【００２４】
カム部材３は、概略Ｌ形状からなり、Ｌ形の長片３０及び短片３１の交差部分にあって上下に突設された軸部３２，３２と、下側軸部３２及び短片３１に連設されているストライカ側と当接する入力部３３と、長片３０の下面先端側に突設された軸状の伝達部３４とを有している。伝達部３４は、係止部材２の嵌合凹部２２に差し込まれて、カム部材３のカム作用、つまり長片３０と短片３１のレバー比に応じた増幅率で係止部材２を摺動可能にする。そして、このカム部材３は、伝達部３４を嵌合凹部２２に挿入すると共に下側軸部３２をボス部１３に嵌合した状態で、カバー１５がケース１０に装着されることで回動可能に保持される。なお、カバー１５は、ボス部１３に対応する不図示のボス部を有し、ケース１０に装着された状態で、前記上側軸部３２がそのボス部と嵌合するようになっている。
【００２５】
ラッチユニット４は、図１１では一部省略しているが、特許第３１２６９９２号公報に開示のものと実質的に同じく、ケーシング４０と、ラッチボディ４１と、コイルばね４４と、略コ形状のトレース用摺動ピン４５とを備えている。ケーシング４０は、対向側壁に設けられた弾性爪４０ａ，４０ａ、内底面に設けられてコイルばね４４を支持する軸部４０ｂ、不図示のピン用取付部などを有している。ラッチボディ４１は、両側（紙面前後）に設けられたハート形島４３ａ及び該島４３ａの周囲に設けられた循環カム４３と、先端の左右側に設けられて膨出部２１ａを係脱する一対の弾性係止爪４２，４２と、後端面から先端側に向かって設けられたガイド穴とを有している。そして、ラッチボディ４１は、前記ガイド穴に軸部４０ｂ及びコイルばね４４の対応部を差し込んだ状態でケーシング４０に組み込まれ、通常はコイルばね４４の付勢力により突出方向へ付勢移動されている。摺動ピン４５は、コ形の中間部がケース内底面に支持され、コ形の両端を内側に折り曲げた先端が対応する循環カム４３の対応部に突出している。
【００２６】
以上のラッチユニット４は、上記ケース側係合孔１１ｃに対しケーシング４を後端から挿入し、かつ両弾性爪４０ａを介して抜け止めされた状態で固定されている。そして、ラッチボディ４１は、図１１（ａ）のごとく係止部材２の膨出部２１ａにより押されると、コイルばね４４の付勢力に抗し、かつ、両弾性爪４２を変位しつつケーシング４内に押し込まれる。最終的には、両弾性爪４２が膨出部２１ａを係合抜け止めし、摺動ピン４５の両先端が循環カム４３の係止溝に係止される。該係止は、ラッチボディ４１が再び図１１（ａ）の矢印方向に押されると、摺動ピン４５の両先端が同図の矢印方向、つまり循環カム４３の係止溝から解除用誘導溝、更に復帰溝に入って係止解除される。すると、ラッチボディ４１は、図１１（ｂ）のごとくコイルばね４４の付勢力でケーシング４０から突出する方向へ摺動され、該摺動により係止部材２が同図の矢印方向へ摺動される。なお、循環カム４３は従来と同じため細部を省略した。
【００２７】
カバー側を説明する。手動規制手段３５は、係止機構の係止解除状態への切り換えを手動操作により不能にするものであり、図６及び図８に示されるごとく左右断面が略ヘ字形に形成された操作板３６を有している。該操作板３６は、凹部１８内で揺動可能な大きさからなり、前後壁にあって左右略中間にそれぞれ突設された軸部３６ａ，３６ａ及び、軸部３６ａより左側にそれぞれ下向きに突設された弾性片３７，３７と、両弾性片３７の外面先端にそれぞれ突設された凸部３７ａ，３７ａと、左端の下側に突設された係止部３８とを一体に有している。以上の操作板３６は、凹部１８に対し、各弾性片３７が凹部内の対応する孔１８ｂに挿入するようにして、押圧操作されることにより、図６（ｃ）のごとく各弾性片の凸部３７ａが凹部底面の孔１８ｂを弾性的に通過してケース内に入ると共に、各軸部３６ａが上記した対応する溝から軸孔１８ｃに挿入嵌合された状態に組み付けられる。
【００２８】
カバー側凹部１８に組み付けられた状態において、操作板３６は、右側が前記したごとく各弾性片の凸部３７ａが凹部底面の孔１８ｂからケース１０内に弾性的に通過し、かつ左側（係止部３８を突出している側）が図１２（ａ）のごとく凹部１８内に退避したフリー態様又は上記ラッチ装置１の作動に影響を与えない作動可能態様である。そして、操作板３６は、左側が下方の凹部底面側に押圧操作されると、略中間の軸部３６ａを支点としてシーソ式に揺動されて、右側の各凸部３７ａがケース１０内から孔１８ｂを弾性的に通過して凹部１８内へ移行し、左側の係止部３８が窓１８ａｂを通ってケース１０内に入って上記したカム部材３の長片３０と短片３１との内側に突出する。この態様は、操作板３６を介してレバー部材３の回動を阻止することによりラッチ装置１（ラッチユニット４或いは係止機構を構成している係止部材２）の係止解除状態への切り換えを強制的に不能にする作動不能態様である。すなわち、以上の手動規制手段３５は、使用者が必要に応じて操作板３６を手動で操作して、ラッチ装置１（ラッチユニット４或いは係止機構を構成している係止部材２）を作動可能態様から作動不能にする、いわゆるチャイルドロック機能として利用される。
【００２９】
自動制御機構６は、ラッチ装置１（ラッチユニット４或いは係止機構を構成している係止部材２）を自動的に作動可能ないしは作動不能とするため、図６及び図９に示されるごとく作動部材６０及び該作動部材を一方向に付勢する付勢ばね６５を有している。作動部材６０は、凹部１９内で揺動可能な大きさからなり、下面の両側にあって、前後略中間から後側部分を下側に突出した壁部６１，６１と、前後略中間それぞれ突設された軸部６２，６２と、一方壁部６１の一部を切り欠いて軸部６２の基部回りを深く形成したばね用配置部６３と、両軸部６２よりも前側を構成している認識部６０ａと、両壁部６１のうち配置部６３が設けられていない側の壁部６１の後端を更に下へ突出した規制部６４とを一体に有している。
【００３０】
以上の作動部材６０は、配置部６３に対応した一方軸部６２にコイル形の付勢ばね６５を挿通した状態で、凹部１９に対し、各軸部６２を対応する軸孔１９ｂに一致させるようにして押圧操作されることにより、各軸部６２が上記した対応する溝から軸孔１９ｂに挿入嵌合された状態に組み付けられる。この取付状態において、作動部材６０は、付勢ばね６５の付勢力で軸部６２を支点として回動され、認識部６０ａが凹部１９から外へ大きく突出し、規制部６４が凹部底面の窓１９ａからケース内に突出する。また、作動部材６０は、認識部６０ａが下向きの応力を受けると、付勢ばね６５の付勢力に抗して軸部６２を支点として前記とは逆向きに回動され、認識部６０ａが凹部の部分１９ｃに接近し、規制部６４がケース内から凹部１９内に退避される。
【００３１】
ところで、以上の認識部６０ａは、本発明の認識手段に相当し、図１（ａ）のごとく筐体７の対応部に接離することにより上記した筐体７に対する引出体８の収納状態か非収納状態かを認識したり、図１（ｂ）のごとく引出体８が引き出された非収納状態においてラッチ装置１（ラッチユニット４或いは係止機構を構成している係止部材２）が蓋体９の保持を解放する係止解除状態へ切換可能か否かを目視などによって認識ないしは判断可能にする。これに対し、規制部６４は、本発明の規制手段に相当し、図１３のごとく前記認識部６０ａと連携されて上記係止機構を構成している係止部材２を作動可能ないしは作動不能とする。
【００３２】
すなわち、規制部６４は、図１３（ａ）のごとく認識部６０ａが引出体８を引き出して筐体７と非接触状態になると、作動部材６０が付勢ばね６５の付勢力で軸部６２を支点として回動され、それにより係止部材の板部２０の後端面に係合して係止部材２のラッチユニット４側への摺動を阻止する。また、規制部６４は、引出体８を収納状態にすると、認識部６０ａが筐体７の対応部と接触し、該接触の応力で、作動部材６０が付勢ばね６５の付勢力に抗して軸部６２を支点として突出量を減じる方向へ回動し、それにより前記係合を解放つまり係止部材２に対する規制を解放する。
【００３３】
これに対し、ストライカ５は、図５に示されるごとく矩形状の固定部５０と、固定部５０の中央部に突設された板状の基部５１と、基部５１の前端片側より前方へ突出したアーム部５２と、アーム部５２の前端横側へ突出した係止爪部５３とを一体に有している。基部５１の上下面には爪部５１が設けられている。アーム部５２の上下面には、中央長手方向に沿って、かつ先端が拡開した凹溝５４が形成されている。そして、このストライカ５は、図４のごとく固定部５０が上記した蓋体９の内壁にベース５５を介して保持される。ベース５５には、両側の取付孔５５ａと、基部５１及びアーム部５２を余裕を持って中央から挿通する不図示の貫通孔と、取付面側にあって固定部５０を所定距離だけ摺動可能に嵌合する凹部５５ｂとが設けられている。また、この例では、上記凹溝５２の先端が拡開しており、また、固定部５０がベース５５に対して上記貫通孔及び凹部５５ｂを介して若干量だけ移動可能に取付けられている。これらは、ストライカ５が左右の取付位置に誤差があっても該誤差を吸収し、開口１４からケース１内に入るとき、凹溝５４が上記ガイド片部１９と嵌合した状態で精度よく挿通されるようにする。
【００３４】
（作動特徴）上記ラッチ装置の作動特徴を図１０〜図１３を参照しながら明らかにする。
（ア）まず、図１（ａ）のごとく引出体８の収納状態において、自動制御機構６は、作動部材６０が筐体７の対応部から認識部６０ａに加わる下向きの応力により付勢ばね６５の付勢力に抗して軸部６２を支点として回動され、認識部６０ａが凹部の部分１９ｃに接近し、規制部６４がケース内から凹部９内に退避され、ラッチ装置１（ラッチユニット４或いは係止機構を構成している係止部材２）に影響を与えない作動可能な態様となっている。図１０（ａ）は、引出体８の収納状態において、例えば、ラッチユニット４が係止部材２を係止し、それにより係止部材２をストライカ５と係合解除した解除位置に保持している。このため、使用者は蓋体９を開から閉方向へ回動操作したり、逆に、蓋体９を閉から開方向へ回動することも可能となる。
【００３５】
（イ）図１０（ｂ）は、ストライカ５が図１０（ａ）から蓋体９の更なる閉方向への回動操作によりケース１内へ最大まで押し入れられた状態である。この状態では、ストライカ５がカム部材側短片３１と一体化されている不図示の入力部３３を基部５１の前端対応部で押し、その結果、カム部材３が軸部３２を支点として逆時計回りに回動され、その回動と同期して、長片３０と一体化されている不図示の伝達部３４が嵌合凹部２２の内壁を押し、その押し力で係止部材２がラッチユニット４側へ摺動される。すると、ラッチユニット４は、図１１（ａ）のごとく摺動ピン４５が循環カム４３の係止溝に係止して係止部材２を拘束している状態から、ラッチボディ４１が係止部材２により同図の矢印方向へ押されて、摺動ピン４５が循環カム４３の係止溝から係止解除されて同図の矢印方向、つまり解除用誘導溝から復路溝へトレースする。すると、図１１（ｂ）のごとくラッチボディ４１は、コイルばね４４の付勢力で突出方向へ摺動される。同期して、係止部材２は、そのラッチボディ４１を介して同図の矢印方向、つまりストライカ５側へ摺動され、それにより係合部２３がストライカの係止爪部５３と係合する。この係合により、蓋体９は、引出体側小収納部８ａの前開口を塞ぐ閉位置に保持される。なお、カム部材３は、係止部材２がストライカ側まで摺動される過程で、不図示の伝達部３４が嵌合凹部２２の内壁で押され、軸部３２を支点として時計回りに回動されて、短片３１と一体化されている上記の入力部３３を基部５１の前端対応部に軽く接している。
【００３６】
（ウ）蓋体９を閉位置から開に切り換える場合は、蓋体９を再び押込み操作する。すると、ストライカ５は、蓋体９の更なる閉方向への押込み操作により図１０（ｂ）のごとくケース１内へ最大まで押し入れられ、短片３１と一体化されている不図示の入力部３３をストライカ側基部５１の前端対応部で押し、その結果、カム部材３が軸部３２を支点として逆時計回りに回動される。この回動により、係止部材２は、長片３０と一体化されている不図示の伝達部３４が嵌合凹部２２の内壁を押し、その押し力でラッチユニット４側へ摺動され、係止爪部５３に対する係合部２３の係合を解除して、ストライカ５の引き抜きを許容する。同時に、ラッチユニット４は、図１１（ａ）のごとくラッチボディ４１が係止部材２の押圧力によりコイルばね４４の付勢力に抗しケーシング４０内に押し込まれることで係止爪４２同士の間に膨出部２１ａを係合抜け止めし、その状態を循環カム４３の係止溝に摺動ピン４５を係止することで保持することになる。なお、以上のラッチ装置１は、特に、耐久性や係止機構として保持力を従来装置よりも高くするため、ストライカ５と係脱する係止部材２、及びストライカ５から受ける力を入力方向を変換して係止部材２に伝達するカム部材３を有している。係止部材２は、ストライカ５と異方向に摺動されてストライカ５と係脱することで、ストライカ５を介して過大な抜去力が加わった際の破壊や無理抜きに対し改善可能にする。カム部材３は、ストライカ５の移動量をカム作用により係止部材２に増幅して伝達可能し、それによりラッチ装置としての応答性ないしは操作性を改善可能にする。
【００３７】
（エ）次に、図１（ｂ）のごとく引出体８が少しでも引き出される非収納状態において、自動制御機構６は、作動部材６０が引出体８の引き出し移動により筐体７と非接触となり、その結果、付勢ばね６５の付勢力で軸部６２を支点として回動され、認識部６０ａが凹部１９から外へ大きく突出し、規制部６４が凹部底面の窓１９ａからケース内に突出して図１３（ａ）のごとく係止部材の板部２０の後端面に係合して係止部材２のラッチユニット４側への摺動を阻止する。すなわち、自動制御機構６は、規制部６４と係止部材の板部２０との係合によりラッチ装置１の係止解除状態への切り換えを不能にする。これにより、この構造では、引出体８を少しでも引き出した非収納状態だと自動的に蓋体９を開操作できなくなり、蓋体９の開閉時期が制約される反面、従来構造に比べて安全性を向上できる。加えて、この構造では、ラッチ装置１がプッシュ・プッシュ式の係止機構からなるため、引出体８及び蓋体９の何れかの取っ手を省略して簡素化とデザインの自由度を拡大できる。
【００３８】
（オ）また、以上の構造では、上述した手動規制手段３５を有しているため、使用者が幼児などに蓋体９を不用意に開閉させないようにしたい場合、操作板３６を手動で操作して、ラッチ装置１を作動可能態様から作動不能にする、いわゆるチャイルドロック機能を自動制御機構６とは独立して利用できる。この構造特徴は、手動規制手段３５が凹部１８及び操作板３６だけの簡易な構成で、かつ、凸部３７ａが孔１８ｂを弾性通過することに伴うクリック音が上記作動可能から作動不能態様に切り換えるときと、上記作動不能から作動可能態様に切り換えるときに共に得られることである。
【００３９】
なお、本発明は、以上の形態例に何ら制約されるものではなく、細部はこの形態を参考にして種々変更したり展開可能なものである。その一例としては、作動部材６０に作用する付勢ばね６５を省く構成である。この場合、作動部材６０は、重心をずらした状態に枢支しておき、図１（ａ）の作動不能態様から図１（ｂ）の作動態様に自重で切り換えられるようにする。また、用途はキッチン関係以外でもよいことは勿論である。
【図面の簡単な説明】
【００４０】
【図１】本発明形態の使用例を示し、（ａ）は引出体の収納状態を示す模式図、（ｂ）は引出体を引き出した非収納状態を示す模式図である。
【図２】上記形態のラッチ装置を示し、（ａ）は平面図、（ｂ）は正面図、（ｂ）は底面図である。
【図３】上記形態のラッチ装置を示し、（ａ）は拡大側面図、（ｂ）は図２のＡ−Ａ線拡大断面図、（ｃ）は図２のＢ−Ｂ線拡大断面図である。
【図４】上記ラッチ装置の外観を示す概略斜視図である。
【図５】上記ラッチ装置の下側構成部材を示す下側分解図である。
【図６】上記ラッチ装置の上側構成部材を示し、（ａ）は上側分解図、（ｂ）は手動規制手段及び自動制御機構を外した平面図、（ｃ）は図２のＣ−Ｃ断面図である。
【図７】上記ラッチ装置のケースを示し、（ａ）は平面図、（ｂ）はＤ−Ｄ線断面図である。
【図８】上記手動規制手段を示し、（ａ）は平面図、（ｂ）は側面図、（ｃ）は底面図、（ｄ）はＥ−Ｅ線断面図である。
【図９】上記自動制御機構の作動部材を示し、（ａ）は正面図、（ｂ）は底面図、（ｃ）はＦ−Ｆ線断面図、（ｄ）はＧ−Ｇ線断面図である。
【図１０】（ａ）〜（ｃ）は上記ラッチ装置の係止機構の作動を示す図である。
【図１１】（ａ）と（ｂ）は上記係止機構のラッチユニットの作動を示す図である。
【図１２】（ａ）と（ｂ）は上記手動規制手段の作動を示す図である。
【図１３】（ａ）と（ｂ）は上記自動制御機構の作動を示す図である。
【図１４】（ａ）と（ｂ）は特許文献１のラッチ装置を示す参考図である。
【符号の説明】
【００４１】
１…ラッチ本体（１０はケース、１５はカバー、１８と１９は凹部）
２…係止部材（２１は係止片部、２２は嵌合凹部、２４は係合部）
３…カム部材（３０は長片、３１は短片、３３は入力部、３４は伝達部）
４…ラッチユニット（４１はラッチボディ、４３は循環カム、４５は摺動ピン）
５…ストライカ（５１は基部、５２アーム部、５３は係止爪部）
６…自動制御機構（６０は作動部材、６５は付勢ばね）
７…筐体（７ａは支持フレーム、７ｂは空間）
８…引出体（８ａは小収納部）
９…蓋体（蓋体、９ａはヒンジ部）
３５…手動規制手段（３６は操作板、３７は操作部、３８は係止部）
６０ａ…認識部（認識手段）
６２…軸部
６３…規制部（規制手段）
【図１】
0005193642.tif 000002
【図２】
0005193642.tif 000003
【図３】
0005193642.tif 000004
【図４】
0005193642.tif 000005
【図５】
0005193642.tif 000006
【図６】
0005193642.tif 000007
【図７】
0005193642.tif 000008
【図８】
0005193642.tif 000009
【図９】
0005193642.tif 000010
【図１０】
0005193642.tif 000011
【図１１】
0005193642.tif 000012
【図１２】
0005193642.tif 000013
【図１３】
0005193642.tif 000014
【図１４】
0005193642.tif 000015